(57)【要約】【課題】サイドカバーの固定構造を簡素化でき、かつ、サイドカバーの固定構造を省スペース化できる電気接続箱を提供する。【解決手段】電気接続箱１は、本体ケース２と、本体ケース２内に組み付けられるベース３と、ベース３に取り付けられる複数の電子部品と、本体ケース２の周壁２１に形成された切り欠き部２２，２３を塞ぐ２つのサイドカバーと、本体ケース２の上面側に組み付けられるアッパカバーと、を備えている。ベース３の側面３１における切り欠き部２２，２３に対応する部分には、各サイドカバーを固定するためのロック３４及びロック３５が設けられている。各サイドカバーは、本体ケース２の上端側から本体ケース２の深さ方向にスライドすることにより切り欠き部２２，２３を塞ぐ位置に位置付けられ、ロック３４，３５に係止することにより、ベース３及び本体ケース２に固定される。【選択図】図２
2014236655.tif 000002
【特許請求の範囲】
【請求項１】
本体ケースと、前記本体ケース内に組み付けられるベースと、前記本体ケースの周壁に形成された切り欠き部を塞ぐサイドカバーと、を備え、
前記サイドカバーが、前記本体ケースの深さ方向にスライドすることにより前記切り欠き部を塞ぐ位置に位置付けられる電気接続箱において、
前記ベースに、前記サイドカバーを固定するためのロックが設けられている
ことを特徴とする電気接続箱。
【請求項２】
前記本体ケースの上面側に組み付けられて前記ベースを覆うアッパカバーをさらに備え、
前記アッパカバーの周壁は、外周壁及び内周壁から成る二重壁構造となっており、
前記サイドカバーの上端部が前記外周壁と前記内周壁との間に位置付けられ、
前記サイドカバーに、前記ベースの上面に当接する嵌合検知部が設けられ、
前記内周壁の下端が前記嵌合検知部の上面に当接する
ことを特徴とする請求項１に記載の電気接続箱。
【請求項３】
前記切り欠き部の内縁及び前記サイドカバーの外縁のいずれか一方に、他方を移動自在に位置付けるレールが設けられている
ことを特徴とする請求項１又は請求項２に記載の電気接続箱。
【発明の詳細な説明】
【技術分野】
【０００１】
本発明は、自動車に搭載される電気接続箱に関するものである。
【背景技術】
【０００２】
自動車に搭載される電気接続箱には様々な構造のものがあるが、例えば、特許文献１に開示されている電気接続箱のように、本体ケースと、本体ケース内に組み付けられるベースと、本体ケースの周壁に形成された切り欠き部を塞ぐサイドカバーと、本体ケースの上面側に組み付けられてベースを覆うアッパカバーと、を備えた構造のものがある。
【０００３】
上記サイドカバーは、本体ケースの深さ方向にスライドすることにより切り欠き部を塞ぐ位置に位置付けられる。また、切り欠き部を塞ぐ位置に位置付けられたサイドカバーは、本体ケースに設けられたロックに係止することにより本体ケースに固定される。
【先行技術文献】
【特許文献】
【０００４】
【特許文献１】特開２０１２−３４５３０号公報
【発明の概要】
【発明が解決しようとする課題】
【０００５】
上述した従来の電気接続箱においては、サイドカバーを固定するためのロックが本体ケースに設けられているがゆえに、サイドカバーの固定構造が複雑になってしまうと共にサイドカバーの固定構造に大きなスペースを要してしまうという問題があった。
【０００６】
また、上述した従来の電気接続箱においては、ベースが本体ケース内の正規位置に組み付けられていない状態（以下、「半嵌合状態」という。）でアッパカバーが本体ケースに組み付けられ、ベースの半嵌合状態を見落としてしまうことがあるという問題があった。
【０００７】
したがって、本発明は、サイドカバーの固定構造を簡素化でき、かつ、サイドカバーの固定構造を省スペース化できる電気接続箱を提供することを目的とする。
【課題を解決するための手段】
【０００８】
請求項１に記載された発明は、本体ケースと、前記本体ケース内に組み付けられるベースと、前記本体ケースの周壁に形成された切り欠き部を塞ぐサイドカバーと、を備え、前記サイドカバーが、前記本体ケースの深さ方向にスライドすることにより前記切り欠き部を塞ぐ位置に位置付けられる電気接続箱において、前記ベースに、前記サイドカバーを固定するためのロックが設けられていることを特徴とする電気接続箱である。
【０００９】
請求項２に記載された発明は、請求項１に記載された発明において、前記本体ケースの上面側に組み付けられて前記ベースを覆うアッパカバーをさらに備え、前記アッパカバーの周壁は、外周壁及び内周壁から成る二重壁構造となっており、前記サイドカバーの上端部が前記外周壁と前記内周壁との間に位置付けられ、前記サイドカバーに、前記ベースの上面に当接する嵌合検知部が設けられ、前記内周壁の下端が前記嵌合検知部の上面に当接することを特徴とするものである。
【００１０】
請求項３に記載された発明は、請求項１又は請求項２に記載された発明において、前記切り欠き部の内縁及び前記サイドカバーの外縁のいずれか一方に、他方を移動自在に位置付けるレールが設けられていることを特徴とするものである。
【発明の効果】
【００１１】
請求項１に記載された発明によれば、前記ベースに、前記サイドカバーを固定するためのロックが設けられているので、サイドカバーの固定構造を簡素化でき、かつ、サイドカバーの固定構造を省スペース化できる電気接続箱を提供することができる。
【００１２】
請求項２に記載された発明によれば、サイドカバーに嵌合検知部が設けられていることにより、ベースが本体ケースに対して半嵌合状態である場合、アッパカバーを本体ケースに組み付けることができないため、ベースの半嵌合状態を検知することができる。
【００１３】
請求項３に記載された発明によれば、前記切り欠き部の内縁及び前記サイドカバーの外縁のいずれか一方に、他方を移動自在に位置付けるレールが設けられているので、サイドカバーの固定構造を簡素化でき、かつ、サイドカバーの固定構造を省スペース化できる電気接続箱を提供することができる。
【図面の簡単な説明】
【００１４】
【図１】本発明の第１の実施形態にかかる電気接続箱の斜視図である。
【図２】図１に示された本体ケースからアッパカバー及びサイドカバーを取り外した状態を示す図である。
【図３】図２に示された本体ケース及びベースの平面図である。
【図４】図１に示された一方のサイドカバーの斜視図である。
【図５】図４に示されたサイドカバーの裏側を示す図である。
【図６】図４に示されたサイドカバーの平面図である。
【図７】図１に示された他方のサイドカバーの斜視図である。
【図８】図７に示されたサイドカバーの裏側を示す図である。
【図９】図７に示されたサイドカバーの平面図である。
【図１０】本発明の第２の実施形態にかかる電気接続箱の斜視図であり、本体ケースからアッパカバーを取り外した状態を示す図である。
【図１１】図１０中のＡ−Ａ線に沿った断面を示す断面斜視図である。
【図１２】図１１に示された本体ケースにアッパカバーが組み付けられた状態を示す断面図である。
【発明を実施するための形態】
【００１５】
（第１の実施形態）
本発明の第１の実施形態にかかる「電気接続箱」を図１〜９を参照して説明する。
【００１６】
図１に示す電気接続箱１は、自動車に搭載されて主に電源分配を行うものであり、本体ケース２と、本体ケース２内に組み付けられるベース３と、ベース３に取り付けられるリレー、ヒューズ、バスバ等の複数の電子部品と、本体ケース２の周壁２１に形成された切り欠き部２２，２３を塞ぐサイドカバー４，５と、本体ケース２の上面側に組み付けられてベース３を覆うアッパカバー６と、を備えている。
【００１７】
上記本体ケース２は、合成樹脂により深い箱状に形成されている。上記切り欠き部２２，２３は、図２，３に示すように、本体ケース２の周壁２１の上端から下端側に凹状に形成されている（図２，３においては、電子部品及びワイヤハーネス９の図示を省略している。）。これら切り欠き部２２，２３は、図１に示すように、ワイヤハーネス９を導出するための部分を残して上記サイドカバー４，５で塞がれる。ワイヤハーネス９は、複数の電線が束ねられて成るものである。これら電線の一端部は、ベース３に取り付けられた電子部品に電気接続される。なお、図示例のワイヤハーネス９は、電線束がコルゲートチューブ内に通されている。
【００１８】
また、切り欠き部２２，２３の下縁部には、半円筒部２４，２５が本体ケース２と一体で設けられている。これら半円筒部２４，２５は、サイドカバー４，５に設けられた半円筒部４２，５２と合わせられることで、円筒状のワイヤハーネス導出部１１，１２を構成する。サイドカバー４，５の半円筒部４２，５２には、結束バンド通し孔４３，５３（図４，７を参照。）が設けられている。ワイヤハーネス導出部１１，１２からワイヤハーネス９が導出された状態（図１を参照。）で、結束バンド通し孔４３，５３に結束バンドが通され、該結束バンドがワイヤハーネス導出部１１，１２の外周に巻き付けられることにより、本体ケース２側の半円筒部２４，２５とサイドカバー４，５側の半円筒部４２，５２とが強固に固定される。
【００１９】
また、本体ケース２の周壁２１の上端部及びサイドカバー４の上端部には、アッパカバー６を固定するためのロック７が設けられている。アッパカバー６は、合成樹脂で構成されており、天井壁６０及び周壁６１を有する浅い箱状に形成されている。周壁６１には、本体ケース２のロック７に係止するロック８が設けられている。
【００２０】
上記ベース３は、合成樹脂によりブロック状に形成されている。ベース３の上面側には、リレー、ヒューズ等の電子部品が取り付けられる部品装着部３０が設けられている。バスバ及びワイヤハーネス９の各電線の一端部は、ベース３の下面側から当該ベース３内に挿入される。このようなベース３は、図２に示すように、本体ケース２内における上側部分に組み付けられる。本体ケース２内における下側部分にはワイヤハーネス９が配索される。また、ベース３の側面３１における切り欠き部２２，２３に対応する部分には、サイドカバー４，５を固定するための一対のロック３４及び一対のロック３５が設けられている。
【００２１】
上記サイドカバー４は、合成樹脂で構成されており、図４〜６に示すように、切り欠き部２２に合致する板部４０と、板部４０の幅方向両側の外縁に設けられたレール４１と、板部４０の下端部に設けられた上記半円筒部４２と、板部４０の上端部に設けられた上記ロック７と、板部４０の内面に設けられた一対のロック４４と、を一体に有している。
【００２２】
このようなサイドカバー４は、本体ケース２の上端側から本体ケース２の深さ方向にスライドすることにより切り欠き部２２を塞ぐ位置に位置付けられる。また、サイドカバー４は、本体ケース２の深さ方向にスライドする際に、レール４１内に切り欠き部２２の内縁を位置付ける。さらに、サイドカバー４は、切り欠き部２２を塞ぐ位置に位置付けられる際に、一対のロック４４がベース３の一対のロック３４に係止することにより、ベース３及び本体ケース２に固定される。
【００２３】
また、サイドカバー４側のロック４４は、断面三角形状の突起であり、サイドカバー４が本体ケース２の深さ方向にスライドして切り欠き部２２を塞ぐ位置に位置付けられることにより、ベース３側のロック３４に引っ掛かる簡素な構造となっている。ベース３側のロック３４は、サイドカバー４側のロック４４が引っ掛かる面を有する凸状又は凹状の簡素な構造となっている。
【００２４】
このように、電気接続箱１においては、ベース３に、サイドカバー４を固定するためのロック３４が設けられているので、サイドカバー４の固定構造を簡素化でき、かつ、サイドカバー４の固定構造を省スペース化できる。また、電気接続箱１においては、サイドカバー４の板部４０の幅方向両側の外縁にレール４１を設けているので、サイドカバー４が切り欠き部２２を塞ぐ位置に位置付けられかつロック４４がロック３４に係止した状態で、当該サイドカバー４が板部４０の幅方向及び板部４０の厚み方向に移動することを規制できる。このことにより、ロック４４及びロック３４を上述した非常に簡素な形状とすることができる。
【００２５】
また、電気接続箱１においては、サイドカバー４側にレール４１が設けられているが、切り欠き部２２の内縁に、サイドカバー４の外縁を移動自在に位置付けるレールを設けるようにしても良い。
【００２６】
上記サイドカバー５は、上述したサイドカバー４と同様の構成であり、合成樹脂で構成されている。サイドカバー５は、図７〜９に示すように、切り欠き部２３に合致する板部５０と、板部５０の幅方向両側の外縁に設けられたレール５１と、板部５０の下端部に設けられた上記半円筒部５２と、板部５０の内面に設けられた一対のロック５５と、を一体に有している。このようなサイドカバー５は、サイドカバー４と同様に、切り欠き部２３を塞ぐ位置に位置付けられる際に、一対のロック５５がベース３の一対のロック３５に係止することにより、ベース３及び本体ケース２に固定される。
【００２７】
続いて、上記電気接続箱１の組み立て手順を説明する。まず、ベース３に、リレー、ヒューズ、バスバ等の電子部品とワイヤハーネス９の各電線の一端部を取り付ける。そして、このベース３を本体ケース２内に組み付ける。この際、ワイヤハーネス９を各切り欠き部２２，２３から本体ケース２外に導出させる。そして、各切り欠き部２２，２３を各サイドカバー４，５で塞ぐと共に本体ケース２側の半円筒部２４，２５とサイドカバー４，５側の半円筒部４２，５２との間にワイヤハーネス９を位置付ける。さらに、結束バンド通し孔４３，５３に結束バンドを通して、該結束バンドによって本体ケース２側の半円筒部２４，２５とサイドカバー４，５側の半円筒部４２，５２とを強固に固定する。最後に、アッパカバー６を本体ケース２の上面側に組み付けることにより、電気接続箱１の組み立てが完了する。
【００２８】
（第２の実施形態）
本発明の第２の実施形態にかかる「電気接続箱」を図１０〜１２を参照して説明する。また、図１０〜１２において、前述した第１の実施形態と同一構成部分には同一符号を付して説明を省略する。
【００２９】
図１０，１１に示す電気接続箱１０１は、第１の実施形態で説明したサイドカバー４の代わりに、嵌合検知部１０が設けられたサイドカバー１０４を備えており、それ以外は第１の実施形態で説明した電気接続箱１と同一の構成となっている。
【００３０】
上記嵌合検知部１０は、図１２に示すように、板部４０の内面からベース３側に突出している。嵌合検知部１０は、サイドカバー１０４が切り欠き部２２を塞ぐ位置に位置付けられかつ一対のロック４４が一対のロック３４に係止することにより、その下面１０ｂがベース３の上面３ａに当接する。
【００３１】
また、図１２に示すように、アッパカバー６の周壁６１は、外周壁６２及び内周壁６３から成る二重壁構造となっている。このアッパカバー６が本体ケース２に組み付けられた状態で、サイドカバー１０４の上端部１０４ａが外周壁６２と内周壁６３との間に位置付けられ、内周壁６３の下端６３ａが嵌合検知部１０の上面１０ａに当接する。
【００３２】
このような電気接続箱１０１において、ベース３が本体ケース２に対して半嵌合状態である場合、すなわちベース３が本体ケース２から若干浮き上がっている場合、サイドカバー１０４も同様に本体ケース２から若干浮き上がっているので、アッパカバー６側のロック８（図１を参照。）を本体ケース２側のロック７に係止させることが不可能となり、アッパカバー６を本体ケース２に組み付けることができない。このことにより、ベース３の半嵌合状態を検知することができる。
【００３３】
また、電気接続箱１０１においては、サイドカバー１０４のみに嵌合検知部１０を設けており、サイドカバー５には嵌合検知部１０を設けていないが、サイドカバー５にも勿論嵌合検知部１０を設けることができる。その場合、嵌合検知部１０が二箇所にあることになるので、ベース３の半嵌合状態をより確実に検知することができる。
【００３４】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３５】
１，１０１  電気接続箱
２  本体ケース
３  ベース
４，５，１０４  サイドカバー
６  アッパカバー
２１  周壁
２２，２３  切り欠き部
３４，３５  ロック
【図１】
2014236655.tif 000003
【図２】
2014236655.tif 000004
【図３】
2014236655.tif 000005
【図４】
2014236655.tif 000006
【図５】
2014236655.tif 000007
【図６】
2014236655.tif 000008
【図７】
2014236655.tif 000009
【図８】
2014236655.tif 000010
【図９】
2014236655.tif 000011
【図１０】
2014236655.tif 000012
【図１１】
2014236655.tif 000013
【図１２】
2014236655.tif 000014